(57)【要約】【課題】障害等で一旦停止したＭＭＥ＃１が再開した後に、ＭＭＥ＃１配下でアイドル状態のＵＥ宛てのユーザデータが受信された場合に、適切に、ＰＤＮコネクション＃１を解放する。【解決手段】本発明に係る移動通信方法は、ＵＥが、「Ｐａｇｉｎｇ」を受信した場合に、ＭＭＥ＃２に対する再アタッチ処理を開始する工程と、ＭＭＥ＃１が、「ＤＤＮ」に含まれるＳ-ＧＷアドレス＃１によって特定されるＳ-ＧＷ＃１に対して、「ＤＤＮ」に含まれるＵＥのＩＭＳＩ及び「Ｃａｕｓｅ＝Ｒｅ-Ａｔｔａｃｈ  Ｓｕｃｃｅｓｓ」を含む「ＤＤＮ  Ａｃｋ」を送信する工程と、Ｓ-ＧＷ＃１が、「ＤＤＮ  Ａｃｋ」を受信した場合に、Ｐ-ＧＷ＃１との間で、「ＤＤＮ  Ａｃｋ」に含まれるＵＥのＩＭＳＩに対応するＰＤＮコネクション＃１を解放する工程とを有する。【選択図】図２
2012156975.tif 000002
【特許請求の範囲】
【請求項１】
移動局とサービングゲートウェイ装置とパケットデータネットワークゲートウェイ装置との間で１又は複数のベアラを含むコネクションが設定されている第１状態で、移動管理ノードが再開した場合、該移動局と該サービングゲートウェイ装置との間で該コネクションが解放され、該サービングゲートウェイ装置と該パケットデータネットワークゲートウェイ装置との間でのみ該コネクションが維持される第２状態に遷移する移動通信システムにおける移動通信方法であって、
前記第２状態において、前記サービングゲートウェイ装置が、前記ベアラを介して前記移動局宛てのユーザデータを受信した場合に、前記移動管理ノードに対して、該移動局の識別情報を含む下りリンクデータ通知信号を送信する工程と、
前記移動管理ノードが、前記下りリンクデータ通知信号を受信した場合には、前記移動局の再アタッチ処理が完了していない場合であっても、該下りリンクデータ通知信号の送信元である前記サービングゲートウェイ装置に対して、該移動局の識別情報及び前記再アタッチ処理或いは呼び出し処理した旨を示す情報を含む信号を送信する工程と、
前記サービングゲートウェイ装置が、前記信号を受信した場合に、前記パケットデータネットワークゲートウェイ装置との間で、該信号に含まれる前記移動局の識別情報に対応する前記コネクションを解放する工程とを有することを特徴とする移動通信方法。
【請求項２】
移動局とサービングゲートウェイ装置とパケットデータネットワークゲートウェイ装置との間で１又は複数のベアラを含むコネクションが設定されている第１状態で、移動管理ノードが再開した場合、該移動局と該サービングゲートウェイ装置との間で該コネクションが解放され、該サービングゲートウェイ装置と該パケットデータネットワークゲートウェイ装置との間でのみ該コネクションが維持される第２状態に遷移する移動通信システムにおいて用いられる移動管理ノードであって、
前記第２状態において、前記サービングゲートウェイ装置から、前記移動局の識別情報を含む下りリンクデータ通知信号を受信するように構成されており、
前記下りリンクデータ通知信号を受信した場合に、前記移動局の再アタッチ処理が完了していない場合であっても、該下りリンクデータ通知信号の送信元である前記サービングゲートウェイ装置に対して、該移動局の識別情報及び前記再アタッチ処理或いは呼び出し処理した旨を示す情報を含む信号を送信するように構成されていることを特徴とする移動管理ノード。
【発明の詳細な説明】
【技術分野】
【０００１】
本発明は、移動通信方法、移動管理ノード及びサービングゲートウェイ装置に関する。
【背景技術】
【０００２】
３ＧＰＰで規定されているＥＰＳ（Ｅｖｏｌｖｅｄ  Ｐａｃｋｅｔ  Ｓｙｓｔｅｍ）方式の移動通信システムでは、障害等で一旦停止したＭＭＥ（Ｍｏｂｉｌｉｔｙ  Ｍａｎａｇｅｍｅｎｔ  Ｅｎｔｉｔｙ、移動管理ノード）＃１が再開した後に、Ｐ-ＧＷ（Ｐａｃｋｅｔ  Ｄａｔａ  Ｎｅｔｗｏｒｋ-Ｇａｔｅｗａｙ、パケットデータネットワークゲートウェイ装置）＃１が、かかるＭＭＥ＃１配下でアイドル状態のＵＥ（Ｕｓｅｒ  Ｅｑｕｉｐｍｅｎｔ）宛てのユーザデータを受信した場合の動作について提案されている。
【０００３】
以下、図７を参照して、かかる動作について説明する。
【０００４】
図７に示すように、ＵＥとＳ-ＧＷ（Ｓｅｒｖｉｎｇ  Ｇａｔｅｗａｙ、サービングゲートウェイ装置）＃１とＰ-ＧＷ＃１との間で１又は複数のＥＰＳベアラ＃１を含むＰＤＮコネクション＃１が設定されている状態（第１状態）で、ステップＳ１０１において、ＭＭＥ＃１が再開した場合、ＵＥとＳ-ＧＷ＃１との間でＰＤＮコネクション＃１が解放され、Ｓ-ＧＷ＃１とＰ-ＧＷ＃１との間でのみＰＤＮコネクション＃１が維持される状態（第２状態）に遷移する。
【０００５】
Ｐ-ＧＷ＃１は、ステップＳ１０２において、外部ネットワークから、ＵＥ宛てのユーザデータを受信すると、ステップＳ１０３において、Ｓ-ＧＷ＃１に対して、かかるＵＥ宛てのユーザデータを送信する。
【０００６】
ステップＳ１０４において、Ｓ-ＧＷ＃１は、ＵＥとＳ-ＧＷ＃１との間でＰＤＮコネクション＃１が解放されているため、ＭＭＥ＃１に対して、「ＤＤＮ（Ｄｏｗｎｌｉｎｋ  Ｄａｔａ  Ｎｏｔｉｆｉｃａｔｉｏｎ、下りリンク通知信号）」を送信する。
【０００７】
ステップＳ１０５において、ＭＭＥ＃１は、「ＤＤＮ」を受信すると、「ＤＤＮ」に含まれる「ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）」によって特定されるＵＥ宛ての「Ｐａｇｉｎｇ」を送信する。
【０００８】
ステップＳ１０６において、ＵＥは、ＵＥ宛ての「Ｐａｇｉｎｇ」を受信すると、再アタッチ処理を開始するために、コアネットワークに対して、「Ａｔｔａｃｈ  Ｒｅｑｕｅｓｔ（アタッチ要求信号）」を送信する。「Ａｔｔａｃｈ  Ｒｅｑｕｅｓｔ」は、無線アクセスネットワークを介してＭＭＥ＃２へ転送される。
【０００９】
ステップＳ１０７において、ＭＭＥ＃２は、ＨＳＳ（Ｈｏｍｅ  Ｓｕｂｓｃｒｉｂｅｒ  Ｓｅｒｖｅｒ、加入者情報サーバ装置）との間で、ＵＥの位置登録処理を行う。
【００１０】
ステップＳ１０８において、ＵＥとＳ-ＧＷ＃２とＰ-ＧＷ＃２との間で１又は複数のＥＰＳベアラ＃２を含むＰＤＮコネクション＃２を設定する。
【００１１】
ステップＳ１０９において、ＭＭＥ＃２は、ＵＥに対して、「Ａｔｔａｃｈ  Ａｃｃｅｐｔ」を送信する。
【先行技術文献】
【非特許文献】
【００１２】
【非特許文献１】３ＧＰＰ  ＴＲ２３.８５７
【発明の概要】
【発明が解決しようとする課題】
【００１３】
しかしながら、本出願人は、かかる動作では、以下のような問題点が発生することを発見した。
【００１４】
すなわち、上述の動作において、ＰＤＮコネクション＃２が設定された後も、Ｓ-ＧＷ＃１とＰ-ＧＥ＃１との間のＰＤＮコネクション＃１が設定されたまま残ってしまい、リソースが無駄になってしまうという問題点があった。
【００１５】
そこで、本発明は、上述の課題に鑑みてなされたものであり、障害等で一旦停止したＭＭＥ＃１が再開した後に、ＭＭＥ＃１配下でアイドル状態のＵＥ宛てのユーザデータが受信された場合に、適切に、ＰＤＮコネクション＃１を解放することができる移動通信方法、移動管理ノード及びサービングゲートウェイ装置を提供することを目的とする。
【課題を解決するための手段】
【００１６】
本発明の第１の特徴は、移動局と第１サービングゲートウェイ装置と第１パケットデータネットワークゲートウェイ装置との間で１又は複数のベアラを含むコネクションが設定されている第１状態で、第１移動管理ノードが再開した場合、該移動局と該第１サービングゲートウェイ装置との間で該コネクションが解放され、該第１サービングゲートウェイ装置と該第１パケットデータネットワークゲートウェイ装置との間でのみ該コネクションが維持される第２状態に遷移する移動通信システムにおける移動通信方法であって、前記第２状態において、前記第１サービングゲートウェイ装置が、前記ベアラを介して前記移動局宛てのユーザデータを受信した場合に、前記第１移動管理ノードに対して、該移動局の識別情報と該第１サービングゲートウェイ装置のアドレスと該ベアラの識別情報とを含む下りリンクデータ通知信号を送信する工程と、前記第１移動管理ノードが、前記下りリンクデータ通知信号を受信した場合に、前記移動局宛てのページング信号を送信する工程と、前記移動局が、前記ページング信号を受信した場合に、第２移動管理ノードに対する再アタッチ処理を開始する工程と、前記第１移動管理ノードが、前記下りリンクデータ通知信号に含まれる前記アドレスによって特定される前記第１サービングゲートウェイ装置に対して、該下りリンクデータ通知信号に含まれる前記ベアラの識別情報及び前記再アタッチ処理が成功した旨を示す情報を含む該下りリンクデータ通知信号に対する応答信号を送信する工程と、前記第１サービングゲートウェイ装置が、前記応答信号を受信した場合に、前記第１パケットデータネットワークゲートウェイ装置との間で、該応答信号に含まれる前記ベアラの識別情報に対応する前記コネクションを解放する工程とを有することを要旨とする。
【００１７】
本発明の第２の特徴は、移動局と第１サービングゲートウェイ装置と第１パケットデータネットワークゲートウェイ装置との間で１又は複数のベアラを含むコネクションが設定されている第１状態で、第１移動管理ノードが再開した場合、該移動局と該第１サービングゲートウェイ装置との間で該コネクションが解放され、該第１サービングゲートウェイ装置と該第１パケットデータネットワークゲートウェイ装置との間でのみ該コネクションが維持される第２状態に遷移する移動通信システムにおいて、該第１移動管理ノードとして動作する移動管理ノードであって、前記第２状態において、前記第１サービングゲートウェイ装置から、前記移動局の識別情報と該第１サービングゲートウェイ装置のアドレスと前記ベアラの識別情報とを含む下りリンクデータ通知信号を受信するように構成されており、前記下りリンクデータ通知信号を受信した場合に、前記移動局宛てのページング信号を送信するように構成されており、前記移動局の第２移動管理ノードに対する再アタッチ処理が開始された後、前記下りリンクデータ通知信号に含まれる前記アドレスによって特定される前記第１サービングゲートウェイ装置に対して、該下りリンクデータ通知信号に含まれる前記ベアラの識別情報及び前記再アタッチ処理の成否を示す情報を含む該下りリンクデータ通知信号に対する応答信号を送信するように構成されていることを要旨とする。
【００１８】
本発明の第３の特徴は、移動局と第１サービングゲートウェイ装置と第１パケットデータネットワークゲートウェイ装置との間で１又は複数のベアラを含むコネクションが設定されている第１状態で、第１移動管理ノードが再開した場合、該移動局と該第１サービングゲートウェイ装置との間で該コネクションが解放され、該第１サービングゲートウェイ装置と該第１パケットデータネットワークゲートウェイ装置との間でのみ該コネクションが維持される第２状態に遷移する移動通信システムにおいて、該第１サービングゲートウェイ装置として動作するサービングゲートウェイ装置であって、前記第２状態において、前記ベアラを介して前記移動局宛てのユーザデータを受信した場合に、前記第１移動管理ノードに対して、該移動局の識別情報と前記第１サービングゲートウェイ装置のアドレスと該ベアラの識別情報とを含む下りリンクデータ通知信号を送信するように構成されており、前記第１移動管理ノードから、前記再アタッチ処理が成功した旨を示す情報を含む前記下りリンクデータ通知信号に対する応答信号を受信した場合に、前記第１パケットデータネットワークゲートウェイ装置との間で、該応答信号に含まれる前記ベアラの識別情報に対応する前記コネクションを解放するように構成されていることを要旨とする。
【００１９】
本発明の第４の特徴は、移動局と第１サービングゲートウェイ装置と第１パケットデータネットワークゲートウェイ装置との間で１又は複数のベアラを含むコネクションが設定されている第１状態で、第１移動管理ノードが再開した場合、該移動局と該第１サービングゲートウェイ装置との間で該コネクションが解放され、該第１サービングゲートウェイ装置と該第１パケットデータネットワークゲートウェイ装置との間でのみ該コネクションが維持される第２状態に遷移する移動通信システムにおける移動通信方法であって、前記第２状態において、前記第１サービングゲートウェイ装置が、前記ベアラを介して前記移動局宛てのユーザデータを受信した場合に、前記第１移動管理ノードに対して、該移動局の識別情報と該第１サービングゲートウェイ装置のアドレスと該ベアラの識別情報とを含む下りリンクデータ通知信号を送信する工程と、前記第１移動管理ノードが、前記下りリンクデータ通知信号を受信した場合に、前記移動局宛てのページング信号を送信する工程と、  前記移動局が、前記ページング信号を受信した場合に、第２移動管理ノードに対する再アタッチ処理を開始する工程と、前記第１移動管理ノードが、前記移動局の位置情報を削除するように要求する位置情報削除要求信号を受信した場合、前記下りリンクデータ通知信号に含まれる前記アドレスによって特定される前記第１サービングゲートウェイ装置に対して、該下りリンクデータ通知信号に含まれる前記ベアラの識別情報を含むコネクション削除要求信号を送信する工程と、前記第１サービングゲートウェイ装置が、前記コネクション削除要求信号を受信した場合に、前記第１パケットデータネットワークゲートウェイ装置との間で、該コネクション削除要求信号に含まれる前記ベアラの識別情報に対応する前記コネクションを解放する工程とを有することを要旨とする。
【００２０】
本発明の第５の特徴は、移動局と第１サービングゲートウェイ装置と第１パケットデータネットワークゲートウェイ装置との間で１又は複数のベアラを含むコネクションが設定されている第１状態で、第１移動管理ノードが再開した場合、該移動局と該第１サービングゲートウェイ装置との間で該コネクションが解放され、該第１サービングゲートウェイ装置と該第１パケットデータネットワークゲートウェイ装置との間でのみ該コネクションが維持される第２状態に遷移する移動通信システムにおいて、該第１移動管理ノードとして動作する移動管理ノードであって、前記第２状態において、前記第１サービングゲートウェイ装置から、前記移動局の識別情報と該第１サービングゲートウェイ装置のアドレスと前記ベアラの識別情報とを含む下りリンクデータ通知信号を受信するように構成されており、前記下りリンクデータ通知信号を受信した場合に、前記移動局宛てのページング信号を送信するように構成されており、前記移動局の位置情報を削除するように要求する位置情報削除要求信号を受信した場合、前記下りリンクデータ通知信号に含まれる前記アドレスによって特定される前記第１サービングゲートウェイ装置に対して、該下りリンクデータ通知信号に含まれる前記ベアラの識別情報を含むコネクション削除要求信号を送信するように構成されていることを要旨とする。
【００２１】
本発明の第６の特徴は、移動局と第１サービングゲートウェイ装置と第１パケットデータネットワークゲートウェイ装置との間で１又は複数のベアラを含むコネクションが設定されている第１状態で、第１移動管理ノードが再開した場合、該移動局と該第１サービングゲートウェイ装置との間で該コネクションが解放され、該第１サービングゲートウェイ装置と該第１パケットデータネットワークゲートウェイ装置との間でのみ該コネクションが維持される第２状態に遷移する移動通信システムにおいて、該第１サービングゲートウェイ装置として動作するサービングゲートウェイ装置であって、前記第２状態において、前記ベアラを介して前記移動局宛てのユーザデータを受信した場合に、前記第１移動管理ノードに対して、該移動局の識別情報と前記第１サービングゲートウェイ装置のアドレスと該ベアラの識別情報とを含む下りリンクデータ通知信号を送信するように構成されており、前記第１移動管理ノードから、前記下りリンクデータ通知信号に含まれる前記ベアラの識別情報を含むコネクション削除要求信号を受信した場合に、前記第１パケットデータネットワークゲートウェイ装置との間で、該コネクション削除要求信号に含まれる前記ベアラの識別情報に対応する前記コネクションを解放するように構成されていることを要旨とする。
【００２２】
本発明の第７の特徴は、移動局とサービングゲートウェイ装置とパケットデータネットワークゲートウェイ装置との間で１又は複数のベアラを含むコネクションが設定されている第１状態で、移動管理ノードが再開した場合、該移動局と該サービングゲートウェイ装置との間で該コネクションが解放され、該サービングゲートウェイ装置と該パケットデータネットワークゲートウェイ装置との間でのみ該コネクションが維持される第２状態に遷移する移動通信システムにおける移動通信方法であって、前記第２状態において、前記サービングゲートウェイ装置が、前記ベアラを介して前記移動局宛てのユーザデータを受信した場合に、前記移動管理ノードに対して、該移動局の識別情報を含む下りリンクデータ通知信号を送信する工程と、前記移動管理ノードが、前記下りリンクデータ通知信号を受信した場合には、前記移動局の再アタッチ処理が完了していない場合であっても、該下りリンクデータ通知信号の送信元である前記サービングゲートウェイ装置に対して、該移動局の識別情報及び前記再アタッチ処理或いは呼び出し処理した旨を示す情報を含む信号を送信する工程と、前記サービングゲートウェイ装置が、前記信号を受信した場合に、前記パケットデータネットワークゲートウェイ装置との間で、該信号に含まれる前記移動局の識別情報に対応する前記コネクションを解放する工程とを有することを要旨とする。
【００２３】
本発明の第９の特徴は、移動局とサービングゲートウェイ装置とパケットデータネットワークゲートウェイ装置との間で１又は複数のベアラを含むコネクションが設定されている第１状態で、移動管理ノードが再開した場合、該移動局と該サービングゲートウェイ装置との間で該コネクションが解放され、該サービングゲートウェイ装置と該パケットデータネットワークゲートウェイ装置との間でのみ該コネクションが維持される第２状態に遷移する移動通信システムにおいて用いられる移動管理ノードであって、前記第２状態において、前記サービングゲートウェイ装置から、前記移動局の識別情報を含む下りリンクデータ通知信号を受信するように構成されており、前記下りリンクデータ通知信号を受信した場合に、前記移動局の再アタッチ処理が完了していない場合であっても、該下りリンクデータ通知信号の送信元である前記サービングゲートウェイ装置に対して、該移動局の識別情報及び前記再アタッチ処理或いは呼び出し処理した旨を示す情報を含む信号を送信するように構成されていることを要旨とする。
【発明の効果】
【００２４】
以上説明したように、本発明によれば、障害等で一旦停止したＭＭＥ＃１が再開した後に、ＭＭＥ＃１配下でアイドル状態のＵＥ宛てのユーザデータが受信された場合に、適切に、ＰＤＮコネクション＃１を解放することができる移動通信方法、移動管理ノード及びサービングゲートウェイ装置を提供することができる。
【図面の簡単な説明】
【００２５】
【図１】本発明の第１の実施形態に係る移動通信システムの全体構成図である。
【図２】本発明の第１の実施形態に係る移動通信システムの動作について説明するシーケンス図である。
【図３】本発明の変更例１に係る移動通信システムの動作について説明するシーケンス図である。
【図４】本発明の変更例２に係る移動通信システムの動作について説明するシーケンス図である。
【図５】本発明の変更例３に係る移動通信システムの動作について説明するシーケンス図である。
【図６】本発明の変更例４に係る移動通信システムの動作について説明するシーケンス図である。
【図７】従来の移動通信システムの動作について説明するシーケンス図である。
【発明を実施するための形態】
【００２６】
（本発明の第１の実施形態に係る移動通信システム）
図１及び図２を参照して、本発明の第１の実施形態に係る移動通信システムについて説明する。
【００２７】
図１に示すように、本実施形態に係る移動通信システムは、Ｐ-ＧＷ＃１と、Ｐ-ＧＷ＃２と、Ｓ-ＧＷ＃１と、Ｓ-ＧＷ＃２と、ＭＭＥ＃１と、ＭＭＥ＃２と、Ｅ-ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）と、ＨＳＳとを具備している。
【００２８】
以下、図２を参照して、本実施形態に係る移動通信システムにおいて、障害等で一旦停止したＭＭＥ＃１が再開した後に、Ｐ-ＧＷ＃１が、ＭＭＥ＃１配下でアイドル状態のＵＥ宛てのユーザデータを受信した場合の動作について説明する。
【００２９】
図２に示すように、ＵＥとＳ-ＧＷ＃１とＰ-ＧＷ＃１との間で１又は複数のＥＰＳベアラ＃１を含むＰＤＮコネクション＃１が設定されている状態（第１状態）で、ステップＳ１００１において、ＭＭＥ＃１が再開した場合、ＵＥとＳ-ＧＷ＃１との間でＰＤＮコネクション＃１が解放され、Ｓ-ＧＷ＃１とＰ-ＧＷ＃１との間でのみＰＤＮコネクション＃１が維持される状態（第２状態）に遷移する。
【００３０】
なお、かかる場合において、Ｓ-ＧＷ＃１は、ＰＤＮコネクション＃１における特定のＥＰＳベアラのみをＳ-ＧＷ＃１とＰ-ＧＷ＃１との間で解放しないように設定されていてもよい。
【００３１】
かかるＥＰＣベアラは、ＱＣＩ（ＱｏＳ  Ｃｌａｓｓ  Ｉｄｅｎｔｉｆｉｅｒ）や優先度種別「ＡＲＰ（Ａｌｌｏｃａｔｉｏｎ  Ｒｅｔｅｎｔｉｏｎ  Ｐｒｉｏｒｉｔｙ）」等により、Ｓ-ＧＷ＃１におけるＥＰＳベアラの解放の要否について設定されていてもよい。
【００３２】
Ｐ-ＧＷ＃１は、ステップＳ１００２において、外部ネットワークから、ＵＥ宛てのユーザデータを受信すると、ステップＳ１００３において、ＥＰＳベアラ＃１を介して、Ｓ-ＧＷ＃１に対して、かかるＵＥ宛てのユーザデータを送信する。
【００３３】
ステップＳ１００４において、Ｓ-ＧＷ＃１は、ＵＥとＳ-ＧＷ＃１との間でＰＤＮコネクション＃１が解放されているため（すなわち、ＧＴＰエコー信号等により、ＭＭＥ＃１の再開を検出しているため）、ＭＭＥ＃１に対して、ＵＥのＩＭＳＩと、Ｓ-ＧＷ＃１のアドレスであるＳ-ＧＷアドレス＃１と、ＥＰＳベアラ＃１の識別情報である「ＥＰＳ  Ｂｅａｒｅｒ  ＩＤ＃１」とを含む「ＤＤＮ」を送信する。
【００３４】
なお、Ｓ-ＧＷ＃１のアドレスであるＳ-ＧＷアドレス＃１は、ＤＤＮ信号のヘッダー部分に設定されていてもよい。
【００３５】
ステップ１００５において、ＭＭＥ＃１は、ＵＥのＩＭＳＩと、「ＤＤＮ」に含まれるＳ-ＧＷアドレス＃１と、「ＤＤＮ」に含まれる「ＥＰＳ  Ｂｅａｒｅｒ  ＩＤ＃１」とを関連付けて記憶する。
【００３６】
ステップＳ１００６において、ＭＭＥ＃１は、ＩＭＳＩが設定された「ＤＤＮ」を受信すると、「ＤＤＮ」に含まれる「ＩＭＳＩ」によって特定されるＵＥ宛ての「Ｐａｇｉｎｇ」を送信する。
【００３７】
ＭＭＥ＃１が、再開前にＵＥに割り当てたＳ-ＴＭＳＩ等をメモリ上に保持している場合、ＩＭＳＩに代わり、Ｓ-ＴＭＳＩによって特定されるＵＥ宛ての「Ｐａｇｉｎｇ」を送信してもよい。
【００３８】
かかる場合、ステップＳ１００７が実施される前に、ＵＥが、ＭＭＥ＃１に対して「Ｓｅｒｖｉｃｅ  Ｒｅｑｕｅｓｔ」を送信し、ＭＭＥ＃１が、ＵＥに対して、拒否信号を通知することで、後述するステップＳ１００７が起動される。
【００３９】
ステップＳ１００７において、ＵＥは、ＵＥ宛ての「Ｐａｇｉｎｇ」を受信すると、再アタッチ処理を開始するために、コアネットワークに対して、ＵＥのＩＭＳＩを含む「Ａｔｔａｃｈ  Ｒｅｑｕｅｓｔ」を送信する。「Ａｔｔａｃｈ  Ｒｅｑｕｅｓｔ」は、無線アクセスネットワークを介してＭＭＥ＃２へ転送される。
【００４０】
ステップＳ１００８において、ＭＭＥ＃２は、ＵＥの位置登録処理を開始するために、ＨＳＳに対して、「Ｕｐｄａｔｅ  Ｌｏｃａｔｉｏｎ  Ｒｅｑｕｅｓｔ」を送信する。
【００４１】
ステップＳ１００９において、ＨＳＳは、ＭＭＥ＃１に対して、「Ｃａｎｃｅｌ  Ｌｏｃａｔｉｏｎ  Ｒｅｑｕｅｓｔ（位置情報削除要求信号）」を送信する。
【００４２】
ステップＳ１０１０において、ＭＭＥ＃１は、ＨＳＳに対して、「Ｃａｎｃｅｌ  Ｌｏｃａｔｉｏｎ  Ａｎｓｗｅｒ」を送信する。ここで、ＭＭＥ＃１は、ＨＳＳに対して、ＭＭＥ＃１が再開した旨を通知してもよい。
【００４３】
かかる通知を受信した場合、ＨＳＳは、ＭＭＥ＃１に収容される他のＵＥに関して保持しているプロファイルに、ＭＭＥエラー状態を記憶しておき、他装置からの在圏問い合わせにおいて、エラー処理を実施するよう構成されていてもよい。
【００４４】
また、ＭＭＥ＃１が、再開前にＵＥに割り当てたＳ-ＴＭＳＩ等のコンテキスト情報（ＵＥに係る情報）をメモリ上に保持している場合、かかるコンテキスト情報を削除してもよい。
【００４５】
ＵＥのＭＭＥ＃２に対する再アタッチ処理が成功した場合、ステップＳ１０１１において、ＭＭＥ＃１は、ＵＥのＩＭＳＩに関連付けられているＳ-ＧＷアドレス＃１によって特定されるＳ-ＧＷ＃１に対して、ＵＥのＩＭＳＩに関連付けられている「ＥＰＳ  Ｂｅａｒｅｒ  ＩＤ＃１」及び「Ｃａｕｓｅ＝Ｒｅ-Ａｔｔａｃｈ  Ｓｕｃｃｅｓｓ（再アタッチ処理が成功した旨を示す情報）」を含む「ＤＤＮ  Ａｃｋ」を送信する。
【００４６】
一方、ＵＥのＭＭＥ＃２に対する再アタッチ処理が失敗した場合、ステップＳ１０１１において、ＵＥのＩＭＳＩに関連付けられているＳ-ＧＷアドレス＃１によって特定されるＳ-ＧＷ＃１に対して、ＵＥのＩＭＳＩに関連付けられている「ＥＰＳ  Ｂｅａｒｅｒ  ＩＤ＃１」及び「Ｃａｕｓｅ＝Ｒｅ-Ａｔｔａｃｈ  Ｆａｉｌ（再アタッチ処理が失敗した旨を示す情報）」を含む「ＤＤＮ  Ｆａｉｌｕｒｅ」を送信してもよい。かかる場合、Ｓ-ＧＷ＃１は、Ｐ-ＧＷ＃１との間のＥＰＳベアラを引き続き保持する。
【００４７】
ステップＳ１０１２において、Ｓ-ＧＷ＃１は、「Ｃａｕｓｅ＝Ｒｅ-Ａｔｔａｃｈ  Ｓｕｃｃｅｓｓ（再アタッチ処理が成功した旨を示す情報）」を含む「ＤＤＮ  Ａｃｋ」を受信した場合に、Ｐ-ＧＷ＃１との間で設定されている「ＥＰＳ  Ｂｅａｒｅｒ  ＩＤ＃１」に対応するＰＤＮコネクション＃１を解放するために、Ｐ-ＧＷ＃１に対して、「ＥＰＳ  Ｂｅａｒｅｒ  ＩＤ＃１」に対応する「Ｌｉｎｋｅｄ  Ｂｅａｒｅ  ＩＤ＃１」を含む「Ｄｅｌｅｔｅ  Ｓｅｓｓｉｏｎ  Ｒｅｑｕｅｓｔ」を送信する。
【００４８】
ここで、「Ｌｉｎｋｅｄ  Ｂｅａｒｅ  ＩＤ＃１」は、ＰＤＮコネクション＃１を特定するための識別情報である。
【００４９】
ステップＳ１０１３において、Ｐ-ＧＷ＃１は、ＰＤＮコネクション＃１を解放した後、Ｓ-ＧＷ＃１に対して、「Ｃａｕｓｅ＝Ｒｅｑｕｅｓｔ  Ａｃｃｅｐｔｅｄ」を含む「Ｄｅｌｅｔｅ  Ｓｅｓｓｉｏｎ  Ｒｅｓｐｏｎｓｅ」を送信する。本処理により、Ｓ-ＧＷ＃１とＰ-ＧＷ＃１との間のＰＤＮコネクション＃１が切断される。
【００５０】
ステップＳ１０１４において、ＨＳＳは、ＭＭＥ＃２に対して、「Ｕｐｄａｔｅ  Ｌｏｃａｔｉｏｎ  Ａｎｓｗｅｒ」を送信する。
【００５１】
ステップＳ１０１５において、ＵＥとＳ-ＧＷ＃２とＰ-ＧＷ＃２との間で１又は複数のＥＰＳベアラ＃２を含むＰＤＮコネクション＃２を設定する。
【００５２】
ステップＳ１０１６において、ＭＭＥ＃２は、ＵＥに対して、「Ａｔｔａｃｈ  Ａｃｃｅｐｔ」を送信する。
【００５３】
本実施形態に係る移動通信システムによれば、Ｓ-ＧＷ＃１が「Ｃａｕｓｅ＝Ｒｅ-Ａｔｔａｃｈ  Ｓｕｃｃｅｓｓ（再アタッチ処理が成功した旨を示す情報）」を含む「ＤＤＮ  Ａｃｋ」を受信した場合に、Ｐ-ＧＷ＃１との間で設定されている「ＥＰＳ  Ｂｅａｒｅｒ  ＩＤ＃１」に対応するＰＤＮコネクション＃１を解放することができる。
【００５４】
（変更例１）
図３を参照して、本発明の変更例１に係る移動通信システムについて、上述の第１の実施形態に係る移動通信システムとの相違点に着目して説明する。
【００５５】
以下、図３を参照して、本変更例１に係る移動通信システムにおいて、障害等で一旦停止したＭＭＥ＃１が再開した後に、Ｐ-ＧＷ＃１が、ＭＭＥ＃１配下でアイドル状態のＵＥ宛てのユーザデータを受信した場合の動作について説明する。
【００５６】
図３に示すように、ステップＳ２００１乃至Ｓ２００５の動作は、図２に示すステップＳ１００１乃至Ｓ１００５の動作と同一である。
【００５７】
ステップＳ２００６において、ＭＭＥ＃１は、Ｓ-ＧＷ＃１に対して、「ＤＤＮ」に対する応答信号である「ＤＤＮ  Ａｃｋ」を送信する。なお、かかる「ＤＤＮ  Ａｃｋ」の送信は、省略されてもよい。
【００５８】
ステップＳ２００７乃至Ｓ２０１１の動作は、図２に示すステップＳ１００６乃至Ｓ１０１０の動作と同一である。
【００５９】
ＭＭＥ＃１は、ステップＳ２０１０において受信した「Ｃａｎｃｅｌ  Ｌｏｃａｔｉｏｎ  Ｒｅｑｕｅｓｔ」に応じて、ステップＳ２０１２において、ＵＥのＩＭＳＩに関連付けられているＳ-ＧＷアドレス＃１によって特定されるＳ-ＧＷ＃１に対して、ＵＥのＩＭＳＩに関連付けられている「ＥＰＳ  Ｂｅａｒｅｒ  ＩＤ＃１」を含む「Ｄｅｌｅｔｅ  Ｓｅｓｓｉｏｎ  Ｒｅｑｕｅｓｔ（コネクション削除要求信号）」を送信する。
【００６０】
ここで、ＭＭＥ＃１は、「Ｄｅｌｅｔｅ  Ｓｅｓｓｉｏｎ  Ｒｅｑｕｅｓｔ」に、ＭＭＥ再開を原因とするＰＤＮコネクションの解放であることを示す情報である「Ｃａｕｓｅ＝Ｓｅｓｓｉｏｎ  Ｒｅｌｅａｓｅ  ｄｕｅ  ｔｏ  ＭＭＥ  Ｆａｉｌｕｒｅ」を含めてもよい。
【００６１】
また、ＭＭＥ＃１は、「Ｄｅｌｅｔｅ  Ｓｅｓｓｉｏｎ  Ｒｅｑｕｅｓｔ」内の既存の情報要素に「ＥＰＳ  Ｂｅａｒｅｒ  ＩＤ＃１」を含めてもよいし、「Ｄｅｌｅｔｅ  Ｓｅｓｓｉｏｎ  Ｒｅｑｕｅｓｔ」内に新規に設定する情報要素に「ＥＰＳ  Ｂｅａｒｅｒ  ＩＤ＃１」を含めてもよい。
【００６２】
ステップＳ２０１３において、Ｓ-ＧＷ＃１は、ＭＭＥ＃１に対して、「Ｄｅｌｅｔｅ  Ｓｅｓｓｉｏｎ    Ｒｅｓｐｏｎｓｅ」を送信する。
【００６３】
ステップＳ２０１４において、Ｓ-ＧＷ＃１は、「Ｄｅｌｅｔｅ  Ｓｅｓｓｉｏｎ  Ｒｅｑｕｅｓｔ」を受信した場合に、Ｐ-ＧＷ＃１との間で設定されている「ＥＰＳ  Ｂｅａｒｅｒ  ＩＤ＃１」に対応するＰＤＮコネクション＃１を解放するために、Ｐ-ＧＷ＃１に対して、「ＥＰＳ  Ｂｅａｒｅｒ  ＩＤ＃１」に対応する「Ｌｉｎｋｅｄ  Ｂｅａｒｅ  ＩＤ＃１」を含む「Ｄｅｌｅｔｅ  Ｓｅｓｓｉｏｎ  Ｒｅｑｕｅｓｔ」を送信する。
【００６４】
ここで、Ｓ-ＧＷ＃１は、Ｓ-ＧＷ＃１から受信した「Ｄｅｌｅｔｅ  Ｓｅｓｓｉｏｎ    Ｒｅｓｐｏｎｓｅ」に「Ｃａｕｓｅ＝Ｓｅｓｓｉｏｎ  Ｒｅｌｅａｓｅ  ｄｕｅ  ｔｏ  ＭＭＥ  Ｆａｉｌｕｒｅ」が含まれているか否かに基づいて、ステップＳ２０１４の動作を実施するか否かについて判断してもよい。
【００６５】
ステップＳ２０１５において、Ｐ-ＧＷ＃１は、ＰＤＮコネクション＃１を解放した後、Ｓ-ＧＷ＃１に対して、「Ｄｅｌｅｔｅ  Ｓｅｓｓｉｏｎ  Ｒｅｓｐｏｎｓｅ」を送信する。
【００６６】
以下、ステップＳ２０１６乃至Ｓ２０１８の動作は、図２に示すステップＳ１０１４乃至Ｓ１０１６の動作と同一である。
【００６７】
本変更例１に係る移動通信システムによれば、「Ｄｅｌｅｔｅ  Ｓｅｓｓｉｏｎ  Ｒｅｑｕｅｓｔ」を受信した場合に、Ｐ-ＧＷ＃１との間で設定されている「ＥＰＳ  Ｂｅａｒｅｒ  ＩＤ＃１」に対応するＰＤＮコネクション＃１を解放することができる。
【００６８】
なお、本発明は、上述のケースだけでなく、ＵＥが、「Ｐａｇｉｎｇ」を受信し、再アタッチ処理を実施した場合において、再開したＭＭＥ＃１に対して「Ａｔｔａｃｈ  Ｒｅｑｕｅｓｔ」を送信するケースに対しても同様に適用可能である。
【００６９】
すなわち、かかる場合、ＭＭＥ＃１は、ＩＭＳＩが設定された「ＤＤＮ」を受信したことを記憶しておき、ＨＳＳから「Ｕｐｄａｔｅ  Ｌｏｃａｔｉｏｎ  Ａｎｓｗｅｒ」を受信したタイミングで、Ｓ-ＧＷ＃１に対して、ベアラ解放処理を実施する。
【００７０】
（変更例２）
図４を参照して、本発明の変更例２に係る移動通信システムについて、上述の第１の実施形態に係る移動通信システムとの相違点に着目して説明する。
【００７１】
以下、図４を参照して、本変更例２に係る移動通信システムにおいて、障害等で一旦停止したＭＭＥ＃１が再開した後に、Ｐ-ＧＷ＃１が、ＭＭＥ＃１配下でアイドル状態のＵＥ宛てのユーザデータを受信した場合の動作について説明する。
【００７２】
図４に示すように、ステップＳ３００１乃至Ｓ３００５の動作は、図２に示すステップＳ１００１乃至Ｓ１００５の動作と同一である。
【００７３】
ＭＭＥ＃１は、ステップＳ３００５において、「ＤＤＮ」を受信すると、ＵＥの再アタッチ処理が完了していない場合であっても、ステップＳ３００５ａにおいて、「ＤＤＮ」の送信元であるＳ-ＧＷ＃１に対して、ＵＥのＩＭＳＩ及び「Ｃａｕｓｅ＝Ｒｅ-Ａｔｔａｃｈ  Ｓｕｃｃｅｓｓ」を含む「ＤＤＮ  Ａｃｋ」を送信する。
【００７４】
図４の例では、ＭＭＥ＃１は、ステップＳ３００５において、「ＤＤＮ」を受信すると、ステップＳ３００５ａにおいて、ＵＥに対して「Ｐａｇｉｎｇ」を送信する前に、「ＤＤＮ」の送信元であるＳ-ＧＷ＃１に対して、ＵＥのＩＭＳＩ及び「Ｃａｕｓｅ＝Ｒｅ-Ａｔｔａｃｈ  Ｓｕｃｃｅｓｓ」を含む「ＤＤＮ  Ａｃｋ」を送信する。
【００７５】
ここで、ＭＭＥ＃１は、「Ｃａｕｓｅ＝Ｒｅ-Ａｔｔａｃｈ  Ｓｕｃｃｅｓｓ」の代わりに、「Ｃａｕｓｅ＝Ｐａｇｉｎｇ  Ｓｕｃｃｅｓｓ（呼び出し処理した旨を示す情報）」を含む「ＤＤＮ  Ａｃｋ」を送信してもよい。
【００７６】
ステップＳ３００５ｂにおいて、Ｓ-ＧＷ＃１は、「Ｃａｕｓｅ＝Ｒｅ-Ａｔｔａｃｈ  Ｓｕｃｃｅｓｓ」を含む「ＤＤＮ  Ａｃｋ」を受信した場合に、Ｐ-ＧＷ＃１との間で設定されている「ＥＰＳ  Ｂｅａｒｅｒ  ＩＤ＃１」に対応するＰＤＮコネクション＃１を解放するために、Ｐ-ＧＷ＃１に対して、ＵＥのＩＭＳＩ或いは「ＥＰＳ  Ｂｅａｒｅｒ  ＩＤ＃１」に対応する「Ｌｉｎｋｅｄ  Ｂｅａｒｅ  ＩＤ＃１」を含む「Ｄｅｌｅｔｅ  Ｓｅｓｓｉｏｎ  Ｒｅｑｕｅｓｔ」を送信する。
【００７７】
ステップＳ３００５ｃにおいて、Ｐ-ＧＷ＃１は、ＰＤＮコネクション＃１を解放した後、Ｓ-ＧＷ＃１に対して、「Ｃａｕｓｅ＝Ｒｅｑｕｅｓｔ  Ａｃｃｅｐｔｅｄ」を含む「Ｄｅｌｅｔｅ  Ｓｅｓｓｉｏｎ  Ｒｅｓｐｏｎｓｅ」を送信する。本処理により、Ｓ-ＧＷ＃１とＰ-ＧＷ＃１との間のＰＤＮコネクション＃１が切断される。
【００７８】
以下、ステップＳ３００６乃至Ｓ３０１３の動作は、図２に示すステップＳ１００６乃至Ｓ１０１６の動作と同一である。
【００７９】
（変更例３）
図５を参照して、本発明の変更例３に係る移動通信システムについて、上述の第１の実施形態に係る移動通信システムとの相違点に着目して説明する。
【００８０】
以下、図５を参照して、本変更例３に係る移動通信システムにおいて、障害等で一旦停止したＭＭＥ＃１が再開した後に、Ｐ-ＧＷ＃１が、ＭＭＥ＃１配下でアイドル状態のＵＥ宛てのユーザデータを受信した場合の動作について説明する。
【００８１】
図５に示すように、ステップＳ４００１乃至Ｓ４００６の動作は、図２に示すステップＳ１００１乃至Ｓ１００６の動作と同一である。
【００８２】
ＭＭＥ＃１は、ステップＳ４００５において、「ＤＤＮ」を受信すると、ＵＥの再アタッチ処理が完了していない場合であっても、ステップＳ４００６ａにおいて、「ＤＤＮ」の送信元であるＳ-ＧＷ＃１に対して、ＵＥのＩＭＳＩ及び「Ｃａｕｓｅ＝Ｒｅ-Ａｔｔａｃｈ  Ｓｕｃｃｅｓｓ」を含む「ＤＤＮ  Ａｃｋ」を送信する。
【００８３】
図５の例では、ステップＳ４００５において、「ＤＤＮ」を受信すると、ステップＳ４００６において、ＵＥに対して「Ｐａｇｉｎｇ」を送信し、その後、ステップＳ４００９において、ＨＳＳから「Ｃａｎｃｅｌ  Ｌｏｃａｔｉｏｎ  Ｒｅｑｕｅｓｔ」を受信する前に、ステップＳ４００６ａにおいて、「ＤＤＮ」の送信元であるＳ-ＧＷ＃１に対して、ＵＥのＩＭＳＩ及び「Ｃａｕｓｅ＝Ｒｅ-Ａｔｔａｃｈ  Ｓｕｃｃｅｓｓ」を含む「ＤＤＮ  Ａｃｋ」を送信する。
【００８４】
なお、ステップ４００６ａは、ステップＳ４００９において、ＨＳＳから「Ｃａｎｃｅｌ  Ｌｏｃａｔｉｏｎ  Ｒｅｑｕｅｓｔ」を受信した後に実施されてもよい。
【００８５】
ステップＳ４００６ｂにおいて、Ｓ-ＧＷ＃１は、「Ｃａｕｓｅ＝Ｒｅ-Ａｔｔａｃｈ  Ｓｕｃｃｅｓｓ」を含む「ＤＤＮ  Ａｃｋ」を受信した場合に、Ｐ-ＧＷ＃１との間で設定されている「ＥＰＳ  Ｂｅａｒｅｒ  ＩＤ＃１」に対応するＰＤＮコネクション＃１を解放するために、Ｐ-ＧＷ＃１に対して、ＵＥのＩＭＳＩ或いは「ＥＰＳ  Ｂｅａｒｅｒ  ＩＤ＃１」に対応する「Ｌｉｎｋｅｄ  Ｂｅａｒｅ  ＩＤ＃１」を含む「Ｄｅｌｅｔｅ  Ｓｅｓｓｉｏｎ  Ｒｅｑｕｅｓｔ」を送信する。
【００８６】
ステップＳ４００６ｃにおいて、Ｐ-ＧＷ＃１は、ＰＤＮコネクション＃１を解放した後、Ｓ-ＧＷ＃１に対して、「Ｃａｕｓｅ＝Ｒｅｑｕｅｓｔ  Ａｃｃｅｐｔｅｄ」を含む「Ｄｅｌｅｔｅ  Ｓｅｓｓｉｏｎ  Ｒｅｓｐｏｎｓｅ」を送信する。本処理により、Ｓ-ＧＷ＃１とＰ-ＧＷ＃１との間のＰＤＮコネクション＃１が切断される。
【００８７】
以下、ステップＳ４００７乃至Ｓ４０１３の動作は、図２に示すステップＳ１００７乃至Ｓ１０１６の動作と同一である。
【００８８】
（変更例４）
図６を参照して、本発明の変更例４に係る移動通信システムについて、上述の第１の実施形態に係る移動通信システムとの相違点に着目して説明する。
【００８９】
以下、図６を参照して、本変更例４に係る移動通信システムにおいて、障害等で一旦停止したＭＭＥ＃１が再開した後に、Ｐ-ＧＷ＃１が、ＭＭＥ＃１配下でアイドル状態のＵＥ宛てのユーザデータを受信した場合の動作について説明する。
【００９０】
図６に示すように、ステップＳ５００１乃至Ｓ５００６の動作は、図２に示すステップＳ１００１乃至Ｓ１００６の動作と同一である。
【００９１】
ステップＳ５００７において、ＵＥは、ＵＥ宛ての「Ｐａｇｉｎｇ」を受信すると、再アタッチ処理を開始するために、無線アクセスネットワークを介して、ＭＭＥ＃１に対して、ＵＥのＩＭＳＩを含む「Ａｔｔａｃｈ  Ｒｅｑｕｅｓｔ」を送信する。
【００９２】
ステップＳ５００８において、ＭＭＥ＃１は、ＵＥの位置登録処理を開始するために、ＨＳＳに対して、「Ｕｐｄａｔｅ  Ｌｏｃａｔｉｏｎ  Ｒｅｑｕｅｓｔ」を送信する。
【００９３】
ステップＳ５００９において、ＨＳＳは、ＭＭＥ＃１に対して、「Ｕｐｄａｔｅ  Ｌｏｃａｔｉｏｎ  Ａｎｓｗｅｒ」を送信する。
【００９４】
ＵＥのＭＭＥ＃１に対する再アタッチ処理が成功した場合、ステップＳ５０１０において、ＭＭＥ＃１は、「ＤＤＮ」の送信元であるＳ-ＧＷ＃１に対して、ＵＥのＩＭＳＩ及び「Ｃａｕｓｅ＝Ｒｅ-Ａｔｔａｃｈ  Ｓｕｃｃｅｓｓ」を含む「ＤＤＮ  Ａｃｋ」を送信する。
【００９５】
なお、ＭＭＥ＃１は、ステップＳ５００７において、「Ａｔｔａｃｈ  Ｒｅｑｕｅｓｔ」の受信を検出したことによって、ステップＳ５０１０において、Ｓ-ＧＷ＃１に対して、かかる「ＤＤＮ  Ａｃｋ」を送信してもよい。
【００９６】
ステップＳ５０１１において、Ｓ-ＧＷ＃１は、ＵＥのＩＭＳＩ及び「Ｃａｕｓｅ＝Ｒｅ-Ａｔｔａｃｈ  Ｓｕｃｃｅｓｓ」を含む「ＤＤＮ  Ａｃｋ」を受信した場合に、Ｐ-ＧＷ＃１との間で設定されている「ＥＰＳ  Ｂｅａｒｅｒ  ＩＤ＃１」に対応するＰＤＮコネクション＃１を解放するために、Ｐ-ＧＷ＃１に対して、ＵＥのＩＭＳＩに対応する「ＥＰＳ  Ｂｅａｒｅｒ  ＩＤ＃１」に対応する「Ｌｉｎｋｅｄ  Ｂｅａｒｅ  ＩＤ＃１」を含む「Ｄｅｌｅｔｅ  Ｓｅｓｓｉｏｎ  Ｒｅｑｕｅｓｔ」を送信する。
【００９７】
ステップＳ５０１２において、Ｐ-ＧＷ＃１は、ＰＤＮコネクション＃１を解放した後、Ｓ-ＧＷ＃１に対して、「Ｃａｕｓｅ＝Ｒｅｑｕｅｓｔ  Ａｃｃｅｐｔｅｄ」を含む「Ｄｅｌｅｔｅ  Ｓｅｓｓｉｏｎ  Ｒｅｓｐｏｎｓｅ」を送信する。本処理により、Ｓ-ＧＷ＃１とＰ-ＧＷ＃１との間のＰＤＮコネクション＃１が切断される。
【００９８】
ステップＳ５０１３において、ＵＥとＳ-ＧＷ＃２とＰ-ＧＷ＃２との間で１又は複数のＥＰＳベアラ＃２を含むＰＤＮコネクション＃２を設定する。
【００９９】
ステップＳ５０１４において、ＭＭＥ＃１は、ＵＥに対して、「Ａｔｔａｃｈ  Ａｃｃｅｐｔ」を送信する。
【０１００】
以上に述べた本実施形態の特徴は、以下のように表現されていてもよい。
【０１０１】
本実施形態の第１の特徴は、ＵＥ（移動局）とＳ-ＧＷ＃１（サービングゲートウェイ装置）とＰ-ＧＷ＃１（パケットデータネットワークゲートウェイ装置）との間で１又は複数のＥＰＳベアラ＃１（ベアラ）を含むＰＤＮコネクション＃１（コネクション）が設定されている第１状態で、ＭＭＥ＃１（移動管理ノード）が再開した場合、ＵＥとＳ-ＧＷ＃１との間でＰＤＮコネクション＃１が解放され、Ｓ-ＧＷ＃１とＰ-ＧＷ＃１との間でのみＰＤＮコネクション＃１が維持される第２状態に遷移する移動通信システムにおける移動通信方法であって、第２状態において、Ｓ-ＧＷ＃１が、かかるＥＰＳベアラ＃１を介してＵＥ宛てのユーザデータを受信した場合に、ＭＭＥ＃１に対して、ＵＥのＩＭＳＩを含む「ＤＤＮ（下りリンクデータ通知信号）」を送信する工程と、ＭＭＥ＃１が、「ＤＤＮ」を受信した場合に、ＵＥ宛ての「Ｐａｇｉｎｇ（ページング信号）」を送信する工程と、ＵＥが、「Ｐａｇｉｎｇ」を受信した場合に、ＭＭＥ＃２（第２移動管理ノード）に対する再アタッチ処理を開始する工程と、ＭＭＥ＃１が、「ＤＤＮ」の送信元であるＳ-ＧＷ＃１に対して、「ＤＤＮ」に含まれるＵＥのＩＭＳＩ及び「Ｃａｕｓｅ＝Ｒｅ-Ａｔｔａｃｈ  Ｓｕｃｃｅｓｓ（移動局が再アタッチ処理した旨を示す情報）」を含む「ＤＤＮ  Ａｃｋ/ＤＤＮ  Ｆａｉｌｕｒｅ（信号）」を送信する工程と、Ｓ-ＧＷ＃１が、「ＤＤＮ  Ａｃｋ」を受信した場合に、Ｐ-ＧＷ＃１との間で、「ＤＤＮ  Ａｃｋ」に含まれるＵＥのＩＭＳＩに対応するＰＤＮコネクション＃１を解放する工程とを有することを要旨とする。
【０１０２】
本実施形態の第２の特徴は、ＵＥとＳ-ＧＷ＃１とＰ-ＧＷ＃１との間で１又は複数のＥＰＳベアラ＃１を含むＰＤＮコネクション＃１が設定されている第１状態で、ＭＭＥ＃１が再開した場合、ＵＥとＳ-ＧＷ＃１との間でＰＤＮコネクション＃１が解放され、Ｓ-ＧＷ＃１とＰ-ＧＷ＃１との間でのみＰＤＮコネクション＃１が維持される第２状態に遷移する移動通信システムにおいて、ＭＭＥ＃１として動作するＭＭＥであって、第２状態において、Ｓ-ＧＷ＃１から、ＵＥのＩＭＳＩを含む「ＤＤＮ」を受信するように構成されており、「ＤＤＮ」を受信した場合に、ＵＥ宛ての「Ｐａｇｉｎｇ」を送信するように構成されており、ＵＥのＭＭＥ＃２に対する再アタッチ処理が開始された後、「ＤＤＮ」の送信元であるＳ-ＧＷ＃１に対して、「ＤＤＮ」に含まれるＵＥのＩＭＳＩ及び「Ｃａｕｓｅ＝Ｒｅ-Ａｔｔａｃｈ  Ｓｕｃｃｅｓｓ」を含む「ＤＤＮ  Ａｃｋ/ＤＤＮ  Ｆａｉｌｕｒｅ」を送信するように構成されていることを要旨とする。
【０１０３】
本実施形態の第３の特徴は、ＵＥとＳ-ＧＷ＃１とＰ-ＧＷ＃１との間で１又は複数のＥＰＳベアラ＃１を含むＰＤＮコネクション＃１が設定されている第１状態で、ＭＭＥ＃１が再開した場合、ＵＥとＳ-ＧＷ＃１との間でＰＤＮコネクション＃１が解放され、Ｓ-ＧＷ＃１とＰ-ＧＷ＃１との間でのみＰＤＮコネクション＃１が維持される第２状態に遷移する移動通信システムにおいて、Ｓ-ＧＷ＃１として動作するＳ-ＧＷであって、第２状態において、ＥＰＳベアラ＃１を介してＵＥ宛てのユーザデータを受信した場合に、ＭＭＥ＃１に対して、ＵＥのＩＭＳＩを含む「ＤＤＮ」を送信するように構成されており、ＭＭＥ＃１から、ＵＥのＩＭＳＩ及び「Ｃａｕｓｅ＝Ｒｅ-Ａｔｔａｃｈ  Ｓｕｃｃｅｓｓ」を含む「ＤＤＮ  Ａｃｋ/ＤＤＮ  Ｆａｉｌｕｒｅ」を受信した場合に、Ｐ-ＧＷ＃１との間で、「ＤＤＮ  Ａｃｋ」に含まれるＵＥのＩＭＳＩに対応するＰＤＮコネクション＃１を解放するように構成されていることを要旨とする。
【０１０４】
本実施形態の第４の特徴は、ＵＥとＳ-ＧＷ＃１とＰ-ＧＷ＃１との間で１又は複数のＥＰＳベアラ＃１を含むＰＤＮコネクション＃１が設定されている第１状態で、ＭＭＥ＃１が再開した場合、ＵＥとＳ-ＧＷ＃１との間でＰＤＮコネクション＃１が解放され、Ｓ-ＧＷ＃１とＰ-ＧＷ＃１との間でのみＰＤＮコネクション＃１が維持される第２状態に遷移する移動通信システムにおける移動通信方法であって、第２状態において、Ｓ-ＧＷ＃１が、ＥＰＳベアラ＃１を介してＵＥ宛てのユーザデータを受信した場合に、ＭＭＥ＃１に対して、ＵＥのＩＭＳＩとＳ-ＧＷアドレス＃１と「ＥＰＳ  Ｂｅａｒｅｒ  ＩＤ＃１」とを含む「ＤＤＮ」を送信する工程と、ＭＭＥ＃１が、「ＤＤＮ」を受信した場合に、ＵＥ宛ての「Ｐａｇｉｎｇ」を送信する工程と、ＵＥが、「Ｐａｇｉｎｇ」を受信した場合に、ＭＭＥ＃２に対する再アタッチ処理を開始する工程と、ＭＭＥ＃１が、「Ｃａｎｃｅｌ  Ｌｏｃａｔｉｏｎ  Ｒｅｑｕｅｓｔ（移動局の位置情報を削除するように要求する位置情報削除要求信号）」を受信した場合、「ＤＤＮ」に含まれるＳ-ＧＷアドレス＃１によって特定されるＳ-ＧＷ＃１に対して、「ＤＤＮ」に含まれる「ＥＰＳ  Ｂｅａｒｅｒ  ＩＤ＃１」を含む「Ｄｅｌｅｔｅ  Ｓｅｓｓｉｏｎ  Ｒｅｑｕｅｓｔ（コネクション削除要求信号）」を送信する工程と、Ｓ-ＧＷ＃１が、「Ｄｅｌｅｔｅ  Ｓｅｓｓｉｏｎ  Ｒｅｑｕｅｓｔ」を受信した場合に、Ｐ-ＧＷ＃１との間で、「Ｄｅｌｅｔｅ  Ｓｅｓｓｉｏｎ  Ｒｅｑｕｅｓｔ」に含まれる「ＥＰＳ  Ｂｅａｒｅｒ  ＩＤ＃１」に対応するＰＤＮコネクション＃１を解放する工程とを有することを要旨とする。
【０１０５】
本実施形態の第５の特徴は、ＵＥとＳ-ＧＷ＃１とＰ-ＧＷ＃１との間で１又は複数のＥＰＳベアラ＃１を含むＰＤＮコネクション＃１が設定されている第１状態で、ＭＭＥ＃１が再開した場合、ＵＥとＳ-ＧＷ＃１との間でＰＤＮコネクション＃１が解放され、Ｓ-ＧＷ＃１とＰ-ＧＷ＃１との間でのみＰＤＮコネクション＃１が維持される第２状態に遷移する移動通信システムにおいて、ＭＭＥ＃１として動作するＭＭＥであって、第２状態において、Ｓ-ＧＷ＃１から、ＵＥのＩＭＳＩとＳ-ＧＷアドレス＃１と「ＥＰＳ  Ｂｅａｒｅｒ  ＩＤ＃１」とを含む「ＤＤＮ」を受信するように構成されており、「ＤＤＮ」を受信した場合に、ＵＥ宛ての「Ｐａｇｉｎｇ」を送信するように構成されており、「Ｃａｎｃｅｌ  Ｌｏｃａｔｉｏｎ  Ｒｅｑｕｅｓｔ」を受信した場合、「ＤＤＮ」に含まれるＳ-ＧＷアドレス＃１によって特定されるＳ-ＧＷ＃１に対して、「ＤＤＮ」に含まれる「ＥＰＳ  Ｂｅａｒｅｒ  ＩＤ＃１」を含む「Ｄｅｌｅｔｅ  Ｓｅｓｓｉｏｎ  Ｒｅｑｕｅｓｔ」を送信するように構成されていることを要旨とする。
【０１０６】
本実施形態の第６の特徴は、ＵＥとＳ-ＧＷ＃１とＰ-ＧＷ＃１との間で１又は複数のＥＰＳベアラ＃１を含むＰＤＮコネクション＃１が設定されている第１状態で、ＭＭＥ＃１が再開した場合、ＵＥとＳ-ＧＷ＃１との間でＰＤＮコネクション＃１が解放され、Ｓ-ＧＷ＃１とＰ-ＧＷ＃１との間でのみＰＤＮコネクション＃１が維持される第２状態に遷移する移動通信システムにおいて、Ｓ-ＧＷ＃１として動作するＳ-ＧＷであって、第２状態において、ＥＰＳベアラ＃１を介してＵＥ宛てのユーザデータを受信した場合に、ＭＭＥ＃１に対して、ＵＥのＩＭＳＩとＳ-ＧＷアドレス＃１と「ＥＰＳ  Ｂｅａｒｅｒ  ＩＤ＃１」とを含む「ＤＤＮ」を送信するように構成されており、ＭＭＥ＃１から、「ＤＤＮ」に含まれる「ＥＰＳ  Ｂｅａｒｅｒ  ＩＤ＃１」を含む「Ｄｅｌｅｔｅ  Ｓｅｓｓｉｏｎ  Ｒｅｑｕｅｓｔ」を受信した場合に、Ｐ-ＧＷ＃１との間で、「Ｄｅｌｅｔｅ  Ｓｅｓｓｉｏｎ  Ｒｅｑｕｅｓｔ」に含まれる「ＥＰＳ  Ｂｅａｒｅｒ  ＩＤ＃１」に対応するＰＤＮコネクション＃１を解放するように構成されていることを要旨とする。
【０１０７】
本実施形態の第７の特徴は、ＵＥとＳ-ＧＷ＃１とＰ-ＧＷ＃１との間で１又は複数のＥＰＳベアラ＃１を含むＰＤＮコネクション＃１が設定されている第１状態で、ＭＭＥ＃１が再開した場合、ＵＥとＳ-ＧＷ＃１との間でＰＤＮコネクション＃１が解放され、Ｓ-ＧＷ＃１とＰ-ＧＷ＃１との間でのみＰＤＮコネクション＃１が維持される第２状態に遷移する移動通信システムにおける移動通信方法であって、第２状態において、Ｓ-ＧＷ＃１が、かかるＥＰＳベアラ＃１を介してＵＥ宛てのユーザデータを受信した場合に、ＭＭＥ＃１に対して、ＵＥのＩＭＳＩを含む「ＤＤＮ」を送信する工程と、ＭＭＥ＃１が、「ＤＤＮ」を受信した場合には、ＵＥの再アタッチ処理が完了していない場合であっても、「ＤＤＮ」の送信元であるＳ-ＧＷ＃１に対して、ＵＥのＩＭＳＩ及び「Ｃａｕｓｅ＝Ｒｅ-Ａｔｔａｃｈ  Ｓｕｃｃｅｓｓ（移動局ＵＥが再アタッチ処理した旨を示す情報）」を含む「ＤＤＮ  Ａｃｋ（下りリンクデータ通知信号に対する応答信号）」を送信する工程と、Ｓ-ＧＷ＃１が、「ＤＤＮ  Ａｃｋ」を受信した場合に、Ｐ-ＧＷ＃１との間で、「ＤＤＮ  Ａｃｋ」に含まれるＵＥのＩＭＳＩに対応するＰＤＮコネクション＃１を解放する工程とを有することを要旨とする。
【０１０８】
本実施形態の第８の特徴は、ＵＥとＳ-ＧＷ＃１とＰ-ＧＷ＃１との間で１又は複数のＥＰＳベアラ＃１を含むＰＤＮコネクション＃１が設定されている第１状態で、ＭＭＥ＃１が再開した場合、ＵＥとＳ-ＧＷ＃１との間でＰＤＮコネクション＃１が解放され、Ｓ-ＧＷ＃１とＰ-ＧＷ＃１との間でのみＰＤＮコネクション＃１が維持される第２状態に遷移する移動通信システムにおける移動通信システムにおいて用いられるＭＭＥであって、第２状態において、Ｓ-ＧＷ＃１から、ＵＥのＩＭＳＩを含む「ＤＤＮ」を受信するように構成されており、「ＤＤＮ」を受信した場合に、ＵＥの再アタッチ処理が完了していない場合であっても、「ＤＤＮ」の送信元であるＳ-ＧＷ＃１に対して、ＵＥのＩＭＳＩ及び「Ｃａｕｓｅ＝Ｒｅ-Ａｔｔａｃｈ  Ｓｕｃｃｅｓｓ」を含む「ＤＤＮ  Ａｃｋ」を送信するように構成されていることを要旨とする。
【０１０９】
なお、上述のＭＭＥ＃１、ＭＭＥ＃２、Ｓ-ＧＷ＃１、Ｓ-ＧＷ＃２、Ｐ-ＧＷ＃１、Ｐ-ＧＷ＃２、ｅＮＢ＃１、ｅＮＢ＃２、ＵＥの動作は、ハードウェアによって実施されてもよいし、プロセッサによって実行されるソフトウェアモジュールによって実施されてもよいし、両者の組み合わせによって実施されてもよい。
【０１１０】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１１１】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ＭＭＥ＃１、ＭＭＥ＃２、Ｓ-ＧＷ＃１、Ｓ-ＧＷ＃２、Ｐ-ＧＷ＃１、Ｐ-ＧＷ＃２、ｅＮＢ＃１、ｅＮＢ＃２、ＵＥ内に設けられていてもよい。また、かかる記憶媒体及びプロセッサは、ディスクリートコンポーネントとしてＭＭＥ＃１、ＭＭＥ＃２、Ｓ-ＧＷ＃１、Ｓ-ＧＷ＃２、Ｐ-ＧＷ＃１、Ｐ-ＧＷ＃２、ｅＮＢ＃１、ｅＮＢ＃２、ＵＥ内に設けられていてもよい。
【０１１２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１１３】
ＵＥ…移動局
ｅＮＢ…無線基地局
ＭＭＥ＃１、ＭＭＥ＃２…移動管理ノード
Ｓ-ＧＷ＃１、Ｓ-ＧＷ＃２…サービングゲートウェイ装置
Ｐ-ＧＷ＃１、Ｐ-ＧＷ…ＰＤＮゲートウェイ装置
ＨＳＳ…加入者情報管理サーバ
【図１】
2012156975.tif 000003
【図２】
2012156975.tif 000004
【図３】
2012156975.tif 000005
【図４】
2012156975.tif 000006
【図５】
2012156975.tif 000007
【図６】
2012156975.tif 000008
【図７】
2012156975.tif 000009
【手続補正書】
【提出日】平成24年4月9日(2012.4.9)
【手続補正１】
【補正対象書類名】特許請求の範囲
【補正対象項目名】全文
【補正方法】変更
【補正の内容】
【特許請求の範囲】
【請求項１】
移動局とサービングゲートウェイ装置とパケットデータネットワークゲートウェイ装置との間で１又は複数のベアラを含むコネクションが設定されている第１状態で、移動管理ノードが再開した場合、該移動局と該サービングゲートウェイ装置との間で該コネクションが解放され、該サービングゲートウェイ装置と該パケットデータネットワークゲートウェイ装置との間でのみ該コネクションが維持される第２状態に遷移する移動通信システムにおける移動通信方法であって、
前記第２状態において、前記サービングゲートウェイ装置が、前記ベアラを介して前記移動局宛てのユーザデータを受信した場合に、前記移動管理ノードに対して、該移動局の識別情報を含む下りリンクデータ通知信号を送信する工程と、
前記移動管理ノードが、前記下りリンクデータ通知信号を受信した場合には、前記移動局の再アタッチ処理が完了していない場合であっても、該下りリンクデータ通知信号の送信元である前記サービングゲートウェイ装置に対して、該移動局の識別情報及び前記再アタッチ処理或いは呼び出し処理した旨を示す情報を含み、前記下りリンクデータ通知信号に対する応答信号を送信する工程と、
前記サービングゲートウェイ装置が、前記信号を受信した場合に、前記パケットデータネットワークゲートウェイ装置との間で、該信号に含まれる前記移動局の識別情報に対応する前記コネクションを解放する工程とを有することを特徴とする移動通信方法。
【請求項２】
移動局とサービングゲートウェイ装置とパケットデータネットワークゲートウェイ装置との間で１又は複数のベアラを含むコネクションが設定されている第１状態で、移動管理ノードが再開した場合、該移動局と該サービングゲートウェイ装置との間で該コネクションが解放され、該サービングゲートウェイ装置と該パケットデータネットワークゲートウェイ装置との間でのみ該コネクションが維持される第２状態に遷移する移動通信システムにおいて用いられる移動管理ノードであって、
前記第２状態において、前記サービングゲートウェイ装置から、前記移動局の識別情報を含む下りリンクデータ通知信号を受信するように構成されており、
前記下りリンクデータ通知信号を受信した場合に、前記移動局の再アタッチ処理が完了していない場合であっても、該下りリンクデータ通知信号の送信元である前記サービングゲートウェイ装置に対して、該移動局の識別情報及び前記再アタッチ処理或いは呼び出し処理した旨を示す情報を含み、前記下りリンクデータ通知信号に対する応答信号を送信するように構成されていることを特徴とする移動管理ノード。